(57)【特許請求の範囲】
【請求項１】
熱定着手段を有する画像形成装置において、
画像形成装置本体の電源をオンオフするスイッチと、
トナーを定着させるために前記熱定着手段に配設された第１のヒータと、
該第１のヒータの保護手段としてのリレー回路と、
除湿あるいは結露防止のために配設された第２のヒータとを有し、
前記リレー回路は、切り替え接点リレーであり、
前記第１のヒータは前記切り替え接点リレーの第１の接点に接続され、前記第２のヒータは前記切り替え接点リレーの第２の接点に接続されていて、前記スイッチのオンオフにより前記切り替え接点リレーを切り替え、オンのとき前記第１のヒータに電源供給し、オフのとき前記第２のヒータに電源供給することを特徴とする画像形成装置。
【発明の詳細な説明】
【０００１】
【発明の属する技術分野】
本発明は、画像形成装置、特にヒータによる熱転写方式を使用した普通紙複写機あるいはＦａｘ等の画像形成装置に関する。
【０００２】
【従来の技術】
従来、普通紙複写機等の画像形成装置は、トナーの定着方式として、ＡＣハロゲンヒータ（以下、定着ヒータという）を使用した定着方式が主流になっている。定着ヒータは通常５００〜９００ｗ程度のものが使用されているが、制御部の異常等により連続点灯した場合に発煙あるいは発火の危険性があるため、定着部には多数の保護装置が搭載されていた。
【０００３】
保護装置は、その一例を示すと、通常の定着ヒータへの電源供給ラインにリレー回路が接続されており、電源供給を遮断することができるようになっていた（特開平５−６６４９３）。また、普通紙複写機等の画像形成装置では、供給トレイ内にある用紙の吸湿防止、あるいは読取り部にあるミラー等の部品の結露防止のために、５〜２０ｗ程度のＡＣヒータ（以下、除湿ヒータという）を配設される場合があった（特開平５−３３８８３３あるいは特開平７−２４８６６１）。
【０００４】
除湿ヒータは、電源コードが接続されると通電する方法、切り替え接点式のスイッチを使用し、電源安定化装置をオフしたときだけ除湿ヒータがオンされるように除湿ヒータを制御する方法（特開平６−３４８０９８）、あるいはリレー等のスイッチにより本体装置がオンされた場合に除湿ヒータもオンされるように制御する方法がとられていた。
【０００５】
しかし、電源コードが接続されると通電する方法では、装置が稼働中で装置内部の温度が高くなり、除湿ヒータによる加熱が不要の場合にも除湿ヒータに通電されるため、無駄な電力を消費するという問題があった。
【０００６】
また、特開平６−３４８０９８で提案された、切り替え接点式のスイッチを配設し、電源安定化装置をオフしたときだけ除湿ヒータがオンされるように除湿ヒータを制御する方法では、切り替え接点式のスイッチが必要となるため、スイッチ形状が大きくなり小型の装置には使用できず、また大きなコストアップの原因となっていた。
【０００７】
さらに、リレー等のスイッチにより本体装置がオンされた場合に除湿ヒータもオンされるように制御する方法では、除湿ヒータ制御用のリレーが必要となるため、コストアップの原因となっていた。
【０００８】
【発明が解決しようとする課題】
本発明は、従来の欠点を解消し、低コストでしかも消費電力の小さい画像形成装置を提供することを目的とする。
【０００９】
【課題を解決するための手段】
本発明の画像形成装置は、画像形成装置本体の電源をオンオフするスイッチと、トナーを定着させるために前記熱定着手段に配設された第１のヒータと、該第１のヒータの保護手段としてのリレー回路と、除湿あるいは結露防止のために配設された第２のヒータとを有し、前記リレー回路は、切り替え接点リレーであり、前記第１のヒータは前記切り替え接点リレーの第１の接点に接続され、前記第２のヒータは前記切り替え接点リレーの第２の接点に接続されている。
【００１１】
さらに、入力手段が画像形成装置が有する各機能を選択できる複数の選択キーを有しており、この複数の選択キーは予約データが入力されると、使用できる機能が限定される。
【００１２】
【発明の実施の形態】
図１には、本発明の画像形成装置におけるヒータ制御部１００の一実施形態が示されている。
本実施形態のヒータ制御部１００は、主に切り替え接点リレー１１１、トライアック１１２、およびフォトカプラ１１３が配設されたＡＣ制御部１１、ＤＣ電源１２、コントローラ部１３、熱定着手段としての定着装置１４、および第２のヒータとしての除湿ヒータ１５から構成されている。
【００１３】
ここで、本実施例のヒータ制御部１００の動作を説明する。
画像形成装置（以下、装置という）本体が商用電源（１００Ｖ）に接続されると、まずＡＣ制御部１１に電力が供給されると、ＡＣ制御部１１は切り替え接点リレー１１１を介して除湿ヒータ１５をＯＮの状態にする。
【００１４】
次に、スイッチ１６がＯＮの状態になると、ＤＣ電源１２に電力が供給され、ＤＣ電源１２が起動する。ＤＣ電源１２では、ＡＣ１００ＶがＤＣ５ＶおよびＤＣ２４Ｖに変換され、変換された電力はコントローラ部１３に供給される。これにより、装置は起動状態になる。装置が起動状態になると、コントローラ部１３は各リレーに制御信号を送出し、リレー接点を切り換える。
【００１５】
次に、コントローラ部１３はフォトカプラ１１３を介してトライアック１１２をＯＮの状態にし、定着装置１４内のＡＣハロゲンヒータ１４１をＯＮさせ、定着装置１４を温める。定着装置１４の定着部の温度は、サーミスタ１４２によりコントローラ部１３にフィードバックされ、コントローラ部１３は定着部の温度が規定値になるようにＡＣハロゲンヒータ１４１のオン／オフを制御する。
【００１６】
図２には、本発明の画像形成装置の一実施形態が示されている。
この実施例の画像形成装置の主な動作を説明する。
まず、コンタクトガラス２１上に原稿２２が置かれると、原稿サイズセンサ２３により原稿２２の有無および原稿サイズが検知される。
【００１７】
次に、図示しないコピースタートキーが押下されると、露光ランプ２４により原稿２２が露光され、第１ミラー２５、第２ミラー２６、第３ミラー２７、およびレンズ２８を介してＣＣＤセンサ２９で読み取られ、電気信号に変換されて画像処理が行われる。
【００１８】
画像処理されたデータに基づきレーザダイオード３０が制御され、レーザ光はシリンダレンズ３１、高速で定速回転するポリゴンミラー３２、レンズ３３、および書き込みミラー３４を介して感光体３５に画像が書き込まれる。
【００１９】
感光体３５の周囲には、帯電装置３６、現像装置３７、転写ベルト３８、およびクリーニング装置３９が配設されている。感光体３５は、クリーニング装置３９によりクリーニングされた後、帯電装置３６により所定の高電位に均一に帯電される。
【００２０】
帯電された感光体３５にレーザ光が照射されると、感光体３５上の表面電位は、照射された光強度に応じて変化し、感光体３５上に静電潛像が形成される。この静電潛像は、現像装置３７によりトナーが吸着され、可視化されたトナー画像になる。
【００２１】
一方、給紙トレイ４０に積載された転写紙４１が１枚づつ給紙され、レジストローラ４２により転写紙４１が感光体３５上のトナー画像と重なるように送り込まれる。さらに、転写紙４１は高電圧をかけられた転写ベルト３８により搬送され、転写ベルト３８と感光体３５との接触部でトナー画像が転写される。
【００２２】
トナー画像が転写された転写紙は、さらに転写ベルト３８で搬送され、第１のヒータとしてのハロゲンヒータにより温められた定着装置４３に送り込まれ、トナー画像の定着処理が行われる。定着装置４３による定着処理後の転写紙４１は、排紙機構により画像形成装置外に排紙される。この際、排紙センサ４５によって、転写紙４１が画像形成装置外に排紙されたことを検知される。
【００２３】
また、結露防止ヒータ４６は第１ミラー２５の表面温度が一定値以上になるように設定され、ミラー結露による画像抜け等の現象を防止している。除湿ヒータ４７は、転写紙４１が吸湿することを防止し、転写紙がしわになることを防止している。
【００２４】
【発明の効果】
以上の説明より明かなように、本発明の画像形成装置によれば、画像形成装置内のヒータに対して必要な部分に適宜電源供給が行われるので、無駄に電力を消費することが無く、また、電力供給を必要とするヒータのみに確実に電力供給することができる。
【図面の簡単な説明】
【図１】本発明の画像形成装置のヒータ制御部の構成例を示すブロック図である。
【図２】本発明の画像形成装置の構成例を示す図である。
【符号の説明】
１１  ＡＣ制御部
１２  ＤＣ電源
１３  コントローラ部
１４、４３  定着装置
１５  除湿ヒータ
【図１】
0003564260.tif 000002
【図２】
0003564260.tif 000003